(57)【要約】【課題】電動機としての効率の低下を抑制しつつ、ロータおよびステータの冷却をより効率的に行うことができる、アキシャルギャップ電動機の冷却構造を提供する。【解決手段】複数の永久磁石１をディスク状の保持部材２に周方向に設けるとともに当該保持部材２を回転軸３に連結してなるロータ４と、ロータ４にロータ４の中心軸線に沿って対向して配置され、コイル５を巻層した複数のステータコア６を周方向に配置してなるステータ７と、ステータ７を固定するとともに前記回転軸３を回転自在に支持するケース１０とからなるアキシャルギャップ電動機の冷却構造において、  回転軸３の内部に、それの軸線方向に延びる軸内油路１１を設け、軸内油路１１に液密に連通されて、ロータ半径方向外側に延びて一以上の開口１２を有する一以上の冷却油路１３をロータ４内に設けてなることを特徴とする。【選択図】図１
2005318782.tif 000002
【特許請求の範囲】
【請求項１】
複数の永久磁石をディスク状の保持部材に周方向に設けるとともに当該保持部材を回転軸に連結してなるロータと、ロータにロータの中心軸線に沿って対向して配置され、コイルを巻層した複数のステータコアを周方向に配置してなるステータと、ステータを固定するとともに前記回転軸を回転自在に支持するケースとからなるアキシャルギャップ電動機の冷却構造において、
回転軸の内部に、それの軸線方向に延びる軸内油路を設け、軸内油路に液密に連通されて、ロータ半径方向外側に延びて一以上の開口を有する一以上の冷却油路をロータ内に設けてなるアキシャルギャップ電動機の冷却構造。
【請求項２】
前記冷却油路の前記永久磁石の背面側に位置する部分を、前記永久磁石の背面と前記保持部材との間に形成した面間油路としてなる請求項１に記載のアキシャルギャップ電動機の冷却構造。
【請求項３】
前記面間油路のロータ周方向の最大幅を、当該面間油路の軸内油路に連通する部分のロータ周方向の幅よりも大としてなる請求項２に記載のアキシャルギャップ電動機の冷却構造
【請求項４】
前記面間油路を永久磁石の背面側で分岐させてなる請求項２に記載のアキシャルギャップ電動機の冷却構造。
【請求項５】
前記面間油路を迂曲させてなる請求項２に記載のアキシャルギャップ電動機の冷却構造。
【請求項６】
前記冷却油路を、ロータ周方向に隣接する永久磁石の間に位置する前記保持部材内に設けてなる請求項１に記載のアキシャルギャップ電動機の冷却構造。
【請求項７】
前記開口を、ロータの側面にロータ中心軸線方向に平行に設けてなる請求項１〜６のいずれかに記載のアキシャルギャップ電動機の冷却構造。
【請求項８】
前記開口を、ロータのステータに対向する側面に設けてなる請求項１〜７のいずれかに記載のアキシャルギャップ電動機の冷却構造。
【請求項９】
前記開口を永久磁石の外周側に設けるとともに、ロータのステータに対向する側面の永久磁石の内周側に、前記冷却油路の内周側開口を設けてなる請求項１〜８のいずれかに記載のアキシャルギャップ電動機の冷却構造。
【請求項１０】
前記開口を永久磁石の外周側に設けるとともに、軸内油路に液密に連通されて、ロータ半径方向外側に延びて、ロータのステータに対向する側面の永久磁石の内周側で、一以上の付加内周側開口を有して終了する、一以上の短尺冷却油路をロータ内に設けてなる請求項１〜９のいずれかに記載のアキシャルギャップ電動機の冷却構造。
【請求項１１】
前記軸内油路に液密に連通されて、回転軸の半径方向外側に延びて、前記ステータの内周面に向けて開口する一以上の付加冷却油路を回転軸内に設けてなる
請求項１〜１０に記載のアキシャルギャップ電動機の冷却構造。
【請求項１２】
前記開口を永久磁石の外周側に設けるとともに、前記保持部材の当該開口よりも外周側に、前記冷却油路内の冷却液を前記ステータの外周面に案内する外周壁を設けてなる請求項１〜１１に記載のアキシャルギャップ電動機の冷却構造。
【請求項１３】
前記外周壁を前記ステータの外周面よりも外周側に位置させてなる請求項１２に記載のアキシャルギャップ電動機の冷却構造。
【請求項１４】
前記外周壁を前記ステータコアのロータに対向する側面よりも、前記回転軸の中心軸線方向に沿ってステータコア側に迫出させてなる請求項１２もしくは１３に記載のアキシャルギャップ電動機の冷却構造。
【請求項１５】
前記外周壁の内周面を湾曲形状としてなる請求項１１〜１４に記載のアキシャルギャップ電動機の冷却構造。
【請求項１６】
前記内周側開口を、ロータ中心軸線方向に平行に設けてなる請求項９〜１５のいずれかに記載のアキシャルギャップ電動機の冷却構造。
【請求項１７】
前記付加内周側開口を、ロータ中心軸線方向に平行に設けてなる請求項１０〜１５のいずれかに記載のアキシャルギャップ電動機の冷却構造。
【発明の詳細な説明】
【技術分野】
【０００１】
本発明は、回転軸に沿ってステータとディスク状のロータとが対向して配置されるアキシャルギャップ電動機の冷却構造に関するものである。
【背景技術】
【０００２】
一般に電動機では、鉄損、銅損、機械損等の損失により、ステータおよびロータに熱が発生する。回転軸に沿ってステータとディスク状のロータとが対向して配置されるアキシャルギャップ電動機においても、従来から、例えば特許文献１に記載されているように、ケース内に冷却液を循環させてロータおよびステータを冷却することが行われてきた。
【特許文献１】特開平１０−２４３６１７号公報
【発明の開示】
【発明が解決しようとする課題】
【０００３】
しかしながら、上述したようなアキシャルギャップ電動機の冷却構造では、ケース内に冷却液を循環させてロータおよびステータを冷却していたため、ロータの回転時には、ロータによる冷却液の攪拌抵抗が増大して、電動機としての損失が増大して効率が低下するとともに、攪拌抵抗による冷却液の発熱も増大して、ロータおよびステータの冷却性能が低下してしまうという問題点があった。
【０００４】
本発明は上述したところの課題を解決することを目的とするものであり、その目的は、電動機としての効率の低下を抑制しつつ、ロータおよびステータの冷却をより効率的に行うことができる、アキシャルギャップ電動機の冷却構造を提供することにある。
【課題を解決するための手段】
【０００５】
請求項１に係るアキシャルギャップ電動機の冷却構造は、複数の永久磁石をディスク状の保持部材に周方向に設けるとともに当該保持部材を回転軸に連結してなるロータと、ロータにロータの中心軸線に沿って対向して配置され、コイルを巻層した複数のステータコアを周方向に配置してなるステータと、ステータを固定するとともに前記回転軸を回転自在に支持するケースとからなるアキシャルギャップ電動機の冷却構造において、
回転軸の内部に、それの軸線方向に延びる軸内油路を設け、軸内油路に液密に連通されて、ロータ半径方向外側に延びて一以上の開口を有する一以上の冷却油路をロータ内に設けてなることを特徴とする。
【発明の効果】
【０００６】
請求項１に係るアキシャルギャップ電動機の冷却構造によれば、軸内油路から冷却油路にロータの回転による遠心力により冷却液が供給されて、冷却油路内の冷却液によりロータを冷却するとともに、遠心力により前記開口から噴出された冷却液により、ステータのコイルとステータコアを冷却することができ、従来技術のように、ケース内を冷却液で満たすことなくロータおよびステータを冷却することができる。これにより、従来技術で問題となった、ロータの回転により発生する冷却液の攪拌抵抗により、損失が増大し電動機の効率が低下すること、および、冷却液の発熱が増大してロータよびステータの冷却効率が低下することを、抑制することができる。
【発明を実施するための最良の形態】
【０００７】
以下、本発明の実施の形態を図面に基づいて説明する。
図１は本発明に係るアキシャルギャップ電動機の冷却構造の一実施形態を示す、アキシャルギャップ電動機の略式断面図である。
このアキシャルギャップ電動機の冷却構造は、図１に示すように、複数の永久磁石１をディスク状の保持部材２の両側面に周方向に設けるとともに保持部材２を回転軸３に連結してなるロータ４と、ロータ４にロータの中心軸線に沿って対向して配置され、コイル５を巻層した複数のステータコア６を周方向に配置してなる、一対のステータ７と、ステータ７を固定するとともに回転軸３を軸受８、９を介して回転自在に支持するケース１０とからなるものであって、
回転軸３の内部に、それの軸線方向に延びる軸内油路１１を設け、軸内油路１１に液密に連通されて、ロータ半径方向外側に延びて一以上の開口１２を有する一以上の冷却油路１３をロータ４内に設けている。（請求項１に相当）
【０００８】
これによれば、軸内油路１１から冷却油路１３にロータ４の回転による遠心力により図示しない冷却液が供給されて、冷却油路１３内の冷却液によりロータ４をその内部から冷却することができる。これとともに、遠心力により軸内油路９から冷却油路１３を経由して開口１２からステータ７に向かって冷却液が噴出されて、その冷却液により、ステータ７のコイル５とステータコア６を冷却することができる。これとともに、ケース内に冷却液を循環させる方式を廃して、攪拌抵抗が増大することにより損失が増大してモータの効率が低下することおよび、攪拌抵抗により発熱が増大してロータおよびステータの冷却効率が低下することを抑制することができる。
なお、図中に冷却液の回収経路については示していないが、本願発明に係るアキシャルギャップ電動機の冷却構造によれば、冷却液は遠心力により冷却箇所たるロータおよびステータに供給されているので、ロータによる冷却液の攪拌抵抗が発生しないよう、冷却液が適宜回収されるように回収経路が配置されていれば良い。
【０００９】
ここでは、後述する図２に示すように、冷却油路１３の永久磁石１の背面側に位置する部分を、保持部材２の永久磁石を設ける部分に凹状の溝を設けることにより、永久磁石１の背面と保持部材２との間に形成した面間油路１３ａとしている。（請求項２に相当）
ここで背面側とは、永久磁石１のステータ７に対向する側と反対側を示すものとする。
これによれば、ロータ４の永久磁石１に冷却液を直接接触させて冷却することができるため、より効率的に永久磁石１を冷却して、永久磁石１の温度上昇による減磁を抑制することができる。
【００１０】
さらにここでは、開口１２を、ロータ中心軸線方向に平行に、（請求項７に相当）ロータ４のステータ７に対向する側面に設けている。（請求項８に相当）
このように開口１２をロータ中心軸線方向に平行に設けることにより、冷却液をロータ４の中心軸線方向に沿ってステータ７に向けて噴出供給することができるので、より効果的に、コイル５およびステータコア６に冷却液を供給することができる。また、ステータ７に対向する側面のみに開口１２を設けることで、冷却を要する部分のみに冷却液を分配供給して、冷却液をより有効に利用することができる。
この効果は、後述する図８に示すような、一のステータのみを有するアキシャルギャップ電動機において、より顕著となる。
【００１１】
また、開口１２を永久磁石１の外周側に位置させるとともに、ロータ４のステータ７に対向する側面の永久磁石１の内周側に、冷却油路１３の内周側開口１４を設けている。（請求項９に相当）
ここで、開口１２を永久磁石１の外周側に位置させるとは、開口１２の少なくとも一部が永久磁石１の外周面よりもロータ半径方向外側に突出して設けられていることを示す。
また、永久磁石１の内周側に内周側開口１４を設けるとは、内周側開口１４の少なくとも一部が永久磁石１の内周面よりもロータ半径方向内側に突出していることを示す。
【００１２】
請求項９に相当する構成によれば、開口１２によりコイル５およびステータコア６の外周側に冷却液を供給するとともに、内周側開口１４によりコイル５およびステータコア６コイル５の内周側に冷却液を供給して、ステータ７の内周側および外周側の二箇所に冷却液を供給することができるので、開口１２のみによりステータコアのロータに対向する面または外周側のみに冷却液を供給することに比べて、コイル５およびステータコア６の軸方向側面全体に冷却液を均等に供給することが可能となり、ステータ７全体をより均等に冷却することができる。
なお内周側開口１４も、ロータ中心軸線方向と平行に設けることが、冷却液をコイル５およびステータコア６の内周側に正確かつ有効に供給する上で好ましい。（請求項１６に相当）
【００１３】
図２は本発明に係るアキシャルギャップ電動機の冷却構造の実施形態を示す、ロータの中心軸線方向の矢視図である。
ロータ４は、複数の扇形状の永久磁石１をディスク状の保持部材２に周方向に並べて設けるとともに保持部材２を回転軸３に、キーやセレーション等の結合手段により連結して構成されている。中心軸３の内部には図示しない軸内油路が設けられ、軸内油路に液密に連通されてロータ半径方向外方に延びて開口１２を有する冷却油路１３とが設けられる。ここでは冷却油路１３の永久磁石１の背面側は、前述した面間油路１３ａを構成する。さらに開口１２を、ロータ中心軸線方向に平行に、（請求項７に相当）ロータ４のステータ７に対向する側面に設けている。（請求項８に相当）
また、開口１２を永久磁石１の外周側に位置させるとともに、ロータ４のステータ７に対向する側面の永久磁石１の内周側に、冷却油路１３の内周側開口１４を設けている。（請求項９に相当）
【００１４】
図３は本発明に係るアキシャルギャップ電動機の冷却構造の他の実施形態を示す、ロータの中心軸線方向の矢視図である。
ロータ４は、図２に示すものと同じく、複数の扇形状の永久磁石１をディスク状の保持部材２に周方向に設けるとともに当該保持部材２を回転軸３に連結してなる。中心軸３の内部には図示しない軸内油路が設けられ、軸内油路に液密に連結されてロータ半径方向外方に延びて開口１２を有する冷却油路１３が設けられる。ここでも冷却油路１３の永久磁石１の背面側は、前述した面間油路１３ａを構成する。さらに、開口１２を、ロータ中心軸線方向に平行に、（請求項７に相当）ロータ４のステータ７に対向する側面に設けている。（請求項８に相当）
また、開口１２を永久磁石１の外周側に位置させるとともに、ロータ４のステータ７に対向する側面の永久磁石１の内周側に、冷却油路１３の内周側開口１４を設けている。（請求項９に相当）
【００１５】
ここでは、面間油路１３ａのロータ周方向の最大幅Ｗ１を、面間油路１３ａの軸内油路１１に連通する部分１３ｂのロータ周方向の幅Ｗ２よりも大とし、（請求項３に相当）面間油路１３ａの中間部分を図示のごとく四角形状とする。
請求項３に相当する構成によれば、冷却油路１３の一部をなす面間油路１３ａの、永久磁石１の背面に接触する面積を、図２に示す形状のロータ半径方向に均一なロータ周方向の幅を有する面間油路よりも大きくすることができるため、永久磁石１の背面と冷却液との接触面積を増やして、より効率的に永久磁石１を冷却することができる。
【００１６】
ここでは、面間油路１３ａの中間部分を、図３に示すように、四角形状としているが、面間油路１３ａはこの形態に限られるものではなく、例えば、軸内油路１１に連通する部分１３ｂのロータ周方向の幅を半径方向内方から外方に向けて徐々に大として、最大幅Ｗ１をなし、その後当該幅を漸減するような形状としてもよい。
【００１７】
図４は本発明に係るアキシャルギャップ電動機の冷却構造のさらに他の実施形態を示す、ロータの中心軸線方向の矢視図である。
永久磁石、軸内油路、冷却油路の基本的な配設態様は、図３に示すロータと同様であるため説明は割愛する。
ここで、面間油路１３ａを、永久磁石１の背面側ここでは内周側開口１４に連通する部分で、図示のごとくＶ字状に二つに分岐させる。（請求項４に相当）これにともない、冷却油路１３は、図４に示すように二箇所の開口１２を有することとなる。
これによっても、冷却油路１３の一部をなす面間油路１３ａの、永久磁石１の背面に接触する面積を、図２に示す形状の面間油路よりも大きくすることができるため、永久磁石１の背面と冷却液との接触面積を増やして、より効率的に永久磁石１を冷却することができる。
【００１８】
図５は本発明に係るアキシャルギャップ電動機の冷却構造のさらに他の実施形態を示す、ロータの中心軸線方向の矢視図である。
永久磁石、軸内油路、冷却油路の基本的な配設態様は、図２〜４に示すロータと同様であるため説明は割愛する。
ここでは、面間油路１３ａを図示のごとく迂曲させる。（請求項５に相当）
これによっても、冷却油路１３の一部をなす面間油路１３ａの、永久磁石１の背面に接触する面積を、図２に示す直線形状の面間油路よりも大きくすることができるため、永久磁石１の背面と冷却液との接触面積を増やして、より効率的に永久磁石１を冷却することができる。
なお面間油路の形態は、図３〜５に示す形態に限られるものではなく、冷却液の永久磁石１に対する接触面積を増大させる面積増大手段を含む形態であれば事足りる。
【００１９】
図６は本発明に係るアキシャルギャップ電動機の冷却構造のさらに他の実施形態を示す、ロータの中心軸線方向の矢視図である。
ロータ４は、図２に示すものと同じく、複数の扇形状の永久磁石１をディスク状の保持部材２に周方向に設けるとともに、当該保持部材２をキーまたはセレーション等の手段により回転軸３に連結してなる。中心軸３の内部には図示しない軸内油路が設けられ、軸内油路に液密に連結されてロータ半径方向外方に延びて永久磁石１の外周側に開口１２を有する冷却油路１３を有する。
ここでは、冷却油路１３をロータ周方向に隣接する永久磁石１の間に位置する保持部材２内に設ける。（請求項６に相当）
【００２０】
これによれば、永久磁石１の背面側に冷却油路１３を配することに比べて、永久磁石１と保持部材２との間もしくは、永久磁石１の背面側の保持部材２に隙間を設けることを避けることができるため、ロータ内の磁路が変化することを抑制することができる。
【００２１】
図７は本発明に係るアキシャルギャップ電動機の冷却構造のさらに他の実施形態を示す、ロータの中心軸線方向の矢視図である。
ロータ４は、図２に示すものと同じく、複数の扇形状の永久磁石１をディスク状の保持部材２に周方向に設けるとともに保持部材２を回転軸３にキーまたはセレーション等の連結手段により連結してなる。中心軸３の内部には図示しない軸内油路が設けられ、軸内油路に液密に連結されてロータ半径方向外方に延びて開口１２を有する冷却油路１３が設けられる。
【００２２】
ここでは、冷却油路１３をロータ周方向に隣接する永久磁石１の間に位置する保持部材２内に一つ置きに設ける。（請求項６に相当）
また、開口１２を、ロータ中心軸線方向に平行に、（請求項７に相当）ロータ４のステータ７に対向する側面に設けている。（請求項８に相当）
【００２３】
さらに、開口１２を永久磁石１の外周側に位置させるとともに、図示しない軸内油路に液密に連通されて、ロータ半径方向外側に延びて、ロータのステータに対向する側面の永久磁石１の内周側で、一以上の付加内周側開口１５を有して終了する、一以上の短尺冷却油路１６を、ロータ周方向に隣接する永久磁石１の間に位置するとともに、冷却油路１３が設けられていない、保持部材２に設ける。（請求項１０に相当）
【００２４】
請求項１０に相当する構成によれば、ステータ７の内周側および外周側に、それぞれ独立した冷却油路により冷却液を供給することができるため、ステータ７の内周側への冷却液の供給量と、ステータ７の外周側への冷却液の供給量との間に偏りが生じてしまうことを防止することができる。
なお、付加内周側開口１５は、ロータ中心軸線方向に平行に設けることが、冷却液をコイル５およびステータコア６の内周側に正確かつ有効に供給する上で好ましい。（請求項１７に相当）
請求項６、７、８に相当する構成による作用効果については、前述したものと同様であるため説明は割愛する。
【００２５】
図８は本発明に係るアキシャルギャップ電動機の冷却構造の他の実施形態を示す、アキシャルギャップ電動機の略式断面図である。
このアキシャルギャップ電動機の冷却構造は、複数の永久磁石１をディスク状の保持部材２に周方向に設けるとともに保持部材２を回転軸３に連結してなるロータ４と、ロータ４にロータの中心軸線に沿って対向して配置され、コイル５を巻層した複数のステータコア６を周方向に配置してなる、一のステータ７と、ステータ７を固定するとともに前記回転軸３を軸受８、９を介して回転自在に支持するケース１０とからなるものであって、
回転軸３の内部に、それの軸線方向に延びる軸内油路１１を設け、軸内油路１１に液密に連通されて、ロータ半径方向外側に延び永久磁石１の外周側に一以上の開口１２を有する一以上の冷却油路１３をロータ４内に設けている。（請求項１に相当）
ここでは冷却油路１３の永久磁石１の背面側は、前述した面間油路１３ａを構成する。（請求項２に相当）
【００２６】
さらに、前記開口１２を、ロータ中心軸線方向に平行に（請求項７に相当）、ロータ４のステータ７に対向する側面に設けている。（請求項８に相当）
請求項７に相当する構成によれば、冷却液をロータ４の中心軸線方向に沿ってステータ７に向けて噴出供給する事ができるので、ロータ軸線方向に延在するコイル５およびステータコア６の側面に冷却液を供給することが容易となり、より効果的に、コイル５およびステータコア６を冷却することができる。
また、請求項８に相当する構成によれば、図８に示すような一のステータのみを有するアキシャルギャップ電動機において、ロータ４のステータ７に対向する側面のみに開口１２を設けることで、冷却を要する部分のみに冷却液を分配供給して、冷却液をより有効に利用することができる。
【００２７】
図９は本発明に係るアキシャルギャップ電動機の冷却構造のさらに他の実施形態を示す、アキシャルギャップ電動機の略式断面図である。
このアキシャルギャップ電動機の冷却構造は、図１に示したものと同様に、複数の永久磁石１をディスク状の保持部材２の両側面に周方向に設けるとともに保持部材２を回転軸３に連結してなるロータ４と、ロータ４にロータの中心軸線に沿って対向して配置され、コイル５を巻層した複数のステータコア６を周方向に配置してなる、一対のステータ７と、ステータ７を固定するとともに回転軸３を軸受８、９を介して回転自在に支持するケース１０とからなるものであって、
回転軸３の内部に、それの軸線方向に延びる軸内油路１１を設け、軸内油路１１に液密に連通されて、ロータ半径方向外側に延びて一以上の開口１２を有する一以上の冷却油路１３をロータ４内に設けている。（請求項１に相当）
【００２８】
ここでは、開口１２を、ロータ中心軸線方向に平行に、（請求項７に相当）ロータ４のステータ７に対向する側面に設けている。（請求項８に相当）
また、開口１２を永久磁石１の外周側に位置させるとともに、ロータ４のステータ７に対向する側面の永久磁石１の内周側に、冷却油路１３の内周側開口１４を設けている。（請求項９に相当）
ここで、開口１２を永久磁石１の外周側に位置させるとは、開口１２の少なくとも一部が永久磁石１の外周面よりもロータ半径方向外側に突出して設けられていることを示す。
【００２９】
また、永久磁石１の内周側に内周側開口１４を設けるとは、内周側開口１４の少なくとも一部が永久磁石１の内周面よりもロータ半径方向内側に突出していることを示す。
なお内周側開口１４も、ロータ中心軸線方向と平行に設けることが、冷却液をコイル５およびステータコア６の内周側に正確かつ有効に供給する上で好ましい。（請求項１６に相当）
ここまで示した、それぞれの構成についての作用効果は、図１に示したアキシャルギャップ電動機と同様であるので説明は割愛する。
【００３０】
さらに、軸内油路１１に液密に連通されて、回転軸３の半径方向外側に延びて、ステータ７の内周面に向けて開口する一以上の付加冷却油路１７を回転軸３内に設ける。（請求項１１に相当）
これによれば、回転軸３の回転による遠心力により、軸内油路１１から付加冷却油路１７を経由して、冷却液がステータ７の内周面に向けて供給されるため、冷却液の回り込みにくいステータ７の内周面をより満遍なく効果的に冷却することができる。さらに、当該冷却液は、遠心力により、ステータコア６とロータ４との間に形成されるギャップに送り込まれるため、ロータ４およびステータ７をより効果的に冷却することができる。
【００３１】
また、冷却油路１２の開口１２を永久磁石１の外周側に設けるとともに、保持部材２の開口１２よりも外周側に、冷却油路１２内の冷却液をステータ７の外周面に案内する円環状をなす外周壁１６を設ける。（請求項１２に相当）ここでは、外周壁１６は、保持部材２の外周端部と一体をなす形状としている。
これによれば、前述した付加冷却油路１７および内周側開口１４により供給されて、遠心力によりギャップを経由して外周壁に案内される冷却液と、開口１２により供給される冷却液とを、ともに、外周壁１６によりそれらの流れの方向を変えることにより、ステータ７の外周面に案内して、ステータ７の外周面をより効果的に冷却することができる。
【００３２】
さらに、外周壁１８をステータ７の外周面よりも外周側に位置させ（請求項１３に相当）、外周壁１８をステータコア６のロータ４に対向する側面（ギャップ面）よりも、回転軸３の中心軸線方向に沿ってステータコア６側に迫出させる。（請求項１４に相当）
これらのいずれによっても、冷却液をステータ７の外周面により効果的かつ確実に導くことができ、ステータ７の冷却効果をさらに高めることができる。
さらに好ましくは、外周壁１８の内周面１８ａを、図９に示すような湾曲形状とする。（請求項１５に相当）これによれば、図９の円内に示すように、外周壁１６の内周面を円環状に構成した場合に比して、外周壁１６により構成される角部に冷却液が滞留してしまうことを防止して、冷却液の流れをよりスムーズなものとし、ステータ７の冷却効率を高めることができる。
【００３３】
なお、請求項１１〜１５に相当する構成は、請求項１〜１０に相当する構成とともに適用するのみならず、アキシャルギャップ電動機に単独で適用しても良い。これによれば、冷却油路の構成をより簡単なものとして、ロータの製造コストを削減するとともに、ロータの堅牢性を高めることができる。さらにこれによっても、従来技術のように、ケース内を冷却液で満たすことなくロータおよびステータを冷却することができるため、従来技術で問題となった、ロータの回転により発生する冷却液の攪拌抵抗により、損失が増大し電動機の効率が低下すること、および、冷却液の発熱が増大してロータよびステータの冷却効率が低下することを、抑制することができることはもちろんである。
【００３４】
図１、図８および図９に示すアキシャルギャップ電動機において、コイル５を図示しないインバータにより励磁すると、ステータの周方向に回転磁界が形成され、周方向に交互に極性が異なる複数の永久磁石１が埋設されたディスク状のロータ４は回転磁界に吸引反発されて回転磁界と同期速度で回転する。
【００３５】
なお、本発明は、上記実施の形態にのみ限定されるものではなく、幾多の変形または変更が可能である。
【産業上の利用可能性】
【００３６】
本発明は、アキシャルギャップ電動機の冷却構造に用いて好適なものである。
【図面の簡単な説明】
【００３７】
【図１】本発明に係るアキシャルギャップ電動機のステータコアの冷却構造の一実施形態を示す、略式断面図である。
【図２】本発明に係るアキシャルギャップ電動機のステータコアの冷却構造の一実施形態を示す、ロータの軸線方向の矢視図である。
【図３】本発明に係るアキシャルギャップ電動機のステータコアの冷却構造の他の実施形態を示す、ロータの軸線方向の矢視図である。
【図４】本発明に係るアキシャルギャップ電動機のステータコアの冷却構造のさらに他の実施形態を示す、ロータの軸線方向の矢視図である。
【図５】本発明に係るアキシャルギャップ電動機のステータコアの冷却構造のさらに他の実施形態を示す、ロータの軸線方向の矢視図である。
【図６】本発明に係るアキシャルギャップ電動機のステータコアの冷却構造のさらに他の実施形態を示す、ロータの軸線方向の矢視図である。
【図７】本発明に係るアキシャルギャップ電動機のステータコアの冷却構造のさらに他の実施形態を示す、ロータの軸線方向の矢視図である。
【図８】本発明に係るアキシャルギャップ電動機のステータコアの冷却構造の他の実施形態を示す、略式断面図である。
【図９】本発明に係るアキシャルギャップ電動機のステータコアの冷却構造のさらに他の実施形態を示す、略式断面図である。
【符号の説明】
【００３８】
１  永久磁石
２  保持部材
３  回転軸
４  ロータ
５  ステータコア
６  コイル
７  ステータ
８  軸受
９  軸受
１０  ケース
１１  軸内油路
１２  開口
１３  冷却油路
１３ａ面間油路
１３ｂ面間油路の軸心油路に連通する部分
１４  内周側開口
１５  付加内周側開口
１６  短尺冷却油路
１７  付加冷却油路
１８  外周壁
【図１】
2005318782.tif 000003
【図２】
2005318782.tif 000004
【図３】
2005318782.tif 000005
【図４】
2005318782.tif 000006
【図５】
2005318782.tif 000007
【図６】
2005318782.tif 000008
【図７】
2005318782.tif 000009
【図８】
2005318782.tif 000010
【図９】
2005318782.tif 000011